(57)【要約】  無線通信のアンテナ装置は、第１の平面に延びている中心部と、アンテナ部に備えられたアンテナ素子であって、アンテナ部及び当該アンテナ素子が第２の平面において中心部から延びているアンテナ素子と、第３の平面において中心部から延びる第１のカウンターポイズ部と、第４の平面において中心部から延びる第２のカウンターポイズ部と、を備え、当該アンテナ装置は、有効な形態に構成される。有効な形態は、折り曲げられた第１及び第２のカウンターポイズ部がともにカウンターポイズを呈し、かつアンテナ素子がカウンターポイズとともに共振するため、アンテナ装置１００の全体構造をアンテナとして機能させることを示唆する。
2011517246.tif 000002
【特許請求の範囲】
【請求項１】
無線通信のアンテナ装置（１００）であって、
第１の平面に延びている中心部（１２０）と、
アンテナ部（１１０）に備えられたアンテナ素子（１１５）であって、前記アンテナ部（１１０）及び当該アンテナ素子（１１５）が第２の平面において前記中心部（１２０）から延びているアンテナ素子（１１５）と、
第３の平面において前記中心部（１２０）から延びる第１のカウンターポイズ部（１３０）と、
第４の平面において前記中心部（１２０）から延びる第２のカウンターポイズ部（１４０）と、を備え、
前記アンテナ装置（１００）は、当該アンテナ装置（１００）が
前記アンテナ素子（１１５）の前記第２の平面が、前記中心部（１２０）の前記第１の平面と略垂直をなし、
前記第１のカウンターポイズ部（１３０）の前記第３の平面が、前記アンテナ素子（１１５）の前記第２の平面と略垂直をなし、
前記第２のカウンターポイズ部（１４０）の前記第４の平面が、
前記中心部（１２０）の前記第１の平面と略垂直をなし、
前記アンテナ素子（１１５）の前記第２の平面と略平行をなし、
前記第１のカウンターポイズ部（１３０）の前記第３の平面と略垂直をなす、
ように折り曲げられた場合に得られる有効な形態に構成され、
前記有効な形態により、前記折り曲げられた第１及び第２のカウンターポイズ部（１３０、１４０）が合わせて１つのカウンターポイズを呈し、かつ前記アンテナ素子（１１５）が前記カウンターポイズ（１３０、１４０）とともに共振し、前記アンテナ装置（１００）の全体構造をアンテナとして機能させる、ことを特徴とするアンテナ装置（１００）。
【請求項２】
第５の平面において前記中心部（１２０）から延びる第３のカウンターポイズ部（１５０）をさらに備え、
さらに前記第３のカウンターポイズ部（１５０）の前記第５の平面が、前記第１のカウンターポイズ部（１３０）の前記第３の平面と略平行をなすように前記アンテナ装置（１００）が折り曲げられた場合に、前記有効な形態が得られ、
前記有効な形態により、折り曲げられた前記第１、第２及び第３のカウンターポイズ部（１３０、１４０、１５０）が合わせて１つのカウンターポイズを呈し、かつ前記アンテナ素子（１１５）が前記カウンターポイズ（１３０、１４０、１５０）とともに共振し、前記アンテナ装置（１００）の全体構造をアンテナとして機能させる、ことを特徴とする請求項１に記載のアンテナ装置（１００）。
【請求項３】
前記アンテナ素子（１１５）は、Ｔアンテナ、モノポールアンテナ、またはダイポールアンテナであることを特徴とする請求項１または２に記載のアンテナ装置（１００）。
【請求項４】
前記アンテナ素子（１１５）は、例えば銅のような導電性物質であることを特徴とする請求項１乃至３のいずれか１項に記載のアンテナ装置（１００）。
【請求項５】
前記有効な形態は、容器、ハウジング、箱、コンテナ、ケースホルダ、レセプタクル、またはリザーバの形状を呈することを特徴とする請求項１乃至４のいずれか１項に記載のアンテナ装置（１００）。
【請求項６】
前記アンテナ装置（１００）は、プリント基板、フレキシブルプリント基板、または導電性物質であることを特徴とする請求項１乃至５のいずれか１項に記載のアンテナ装置（１００）。
【請求項７】
穴及び貫通孔（４１０）の少なくともいずれかを有することを特徴とする請求項１乃至６のいずれか１項に記載のアンテナ装置（１００）。
【請求項８】
前記アンテナ素子（１１５）の１以上のアーム（２１０、２２０）の長さ及び幅を調整することにより、要求された共振周波数に調整されることを特徴とする請求項１乃至７のいずれか１項に記載のアンテナ装置（１００）。
【請求項９】
共振周波数は、例えば２．５ＧＨｚのような１〜８０ＧＨｚの周波数であることを特徴とする請求項１乃至８のいずれか１項に記載のアンテナ装置（１００）。
【請求項１０】
請求項１に記載のアンテナ装置（１００）を備えることを特徴とする無線通信デバイス（５００）。
【請求項１１】
ヘッドセット、携帯電話、無線マウス、無線コンピュータ、または携帯情報端末（ＰＤＡ）であることを特徴とする請求項１０に記載の無線通信デバイス（５００）。
【発明の詳細な説明】
【技術分野】
【０００１】
本発明は無線通信に関する。特に本発明は、アンテナ装置、及びこのようなアンテナ装置を備える無線通信デバイスに関する。
【背景技術】
【０００２】
短距離を隔てた、関連付けられた一対のデバイス間では、ケーブルを用いた有線通信より無線通信を提供する方が望ましいことが多い。ケーブルを用いて通信するデバイスは、多くの場合、ケーブル長にある程度決定づけられるような距離に互いに近接配置する必要がある。一方、無線通信は電子デバイス間の配線量を減らし、故にユーザの容易な使用及び利便性を向上させる。さらに、携帯電子デバイスのような無線通信デバイスは、より高いセキュリティ性能を提供したり、見た目の美しさに優れたものとなり得る。無線通信を用いると、関連付けられたデバイス間の距離は、概して無線信号送受信システムの限度にのみ制限される。関連するデバイス対の例には、一方がコードレスヘッドセットであり、他方が電話、コンピュータ、携帯情報端末（ＰＤＡ：Personal Digital Assistant）、テレビ受像器、ＶＣＲ、ＤＶＤプレーヤ、ゲーム機器、ステレオ受信機、ＣＤプレーヤ、及びＭＰ３プレーヤである組み合わせが挙げられる。関連するデバイス対の他の例には、コンピュータとその様々な外部デバイス、例えばモニタ、プリンタ、キーボード、マウス、電話、及びスピーカ等の組み合わせが含まれる。
【０００３】
携帯電子デバイスは、必要に応じて機能する、高性能な小型内蔵アンテナを備える。アンテナは、携帯電子デバイス内の無線ユニットと、対応するユニット内の無線ユニットとの間の無線通信を可能とする。一般に、可能な限りディスクリートかつ実用的なデバイスを提供できるよう、無線電子デバイスのサイズを最小化することが好ましい。故に、無線通信デバイスにおけるアンテナの設置スペースは日に日に縮小されており、アンテナ小型化の改良が強く望まれている。
【０００４】
携帯電子デバイス内の容積は主に工業デザインによって決定され、アンテナサイズ及び接地面サイズの両方を制限しうる。しかしながら、携帯電子デバイス内に備わるアンテナの寸法は、アンテナが受信及び送信すべき信号の波長、及びアンテナ形状により決定される。このような信号波長の例は、例えばＢｌｕｅｔｏｏｔｈ（登録商標）２４００ー２４８３，５ＭＨｚでは自由空間において約１２ｃｍである。故に、アンテナ及び携帯電子デバイスは、当該携帯電子デバイス内にアンテナを収容することも考慮の上に設計されている。
【０００５】
多くのタイプのアンテナ技術が、携帯電子デバイスの内蔵アンテナでは用いられ得る。用いる技術の選択は、携帯通信デバイスの、アンテナを取り付けなくてはならない空間サイズ及び形状と、システムが要求するアンテナ性能に依存する。
【０００６】
一般によく知られるアンテナはＴアンテナである。Ｔアンテナは、第１の垂直または傾斜したワイヤ、及び第２の直線水平ワイヤの２つのワイヤを有する。垂直ワイヤは直線水平ワイヤのおよそ中央に接続され、特徴的な「Ｔ」型を形成している。Ｔアンテナの放射パターンは、ダイポールアンテナと同様に全方向である。Ｔアンテナは使用周波数に関して、容易に拡張可能である。ストレッチワイヤ形状（stretched-wire）の半波長ダイポールまたはＴアンテナの欠点は、物理的な全長である。このことは、小型製品への搭載を困難にする。
【０００７】
メアンダモノポールアンテナもまた、携帯通信デバイスにおいて一般的によく用いられる。アンテナの蛇行パターンは、同じ電気的長さを維持しながら、アンテナ素子の物理的な全長を削減することを可能とする。故に、メアンダモノポールアンテナは、ストレッチワイヤ形状のダイポールアンテナよりも、よりスケーラブルである。メアンダモノポールアンテナの全長は、要求される共振周波数の１／４波長となるように選択されることが望ましい。しかしながら、３／４、１と１／４、１／５等の共鳴素子のために、他の長さを用いてもよい。メアンダモノポールの欠点も、当該アンテナが比較的大きい領域を必要とすることである。アンテナの蛇行は、直線ワイヤが使用する領域に比べ、比較的大きい領域を使用する。さらに蛇行している直線間の空間は使用されない。当該空間を最小限にするよう妥協すると、アンテナの帯域幅も同様に妥協することになる。これは、蛇行パターン間の空隙及び蛇行回数に大きく依存する。
【０００８】
逆Ｆアンテナ（ＩＦＡ：Inverted F Antenna）は、薄型または平たい構造を有する平面アンテナであり、例えば１９００ＭＨｚの無線周波数帯域において動作するハンドセットのような、携帯通信デバイスの内部に構成される内部アンテナとして一般的に用いられている。従来の平面逆Ｆアンテナ（ＰＩＦＡ：Planar Inverted F Antenna）は放射素子、ワイヤ、及び接地面を有する。平面逆ＦアンテナはＦ字様形状を有する。平面逆Ｆアンテナも逆Ｆアンテナも、正常動作するためには比較的大きな接地面を必要とする。このことは、Ｆ型アンテナのスケーラビリティを著しく制限する。さらに、Ｆ型アンテナは無視できない制限である狭帯域幅特性の影響を受ける。
【０００９】
それ故に、性能低下なしに、または最小限の性能低下で要求される通信性能を満足する、携帯通信デバイス用のアンテナが必要とされる。さらに、アンテナが小さく、空間効率がよく軽量であることは、体裁が悪く扱いづらいデバイスとならないようにするために非常に望まれることである。無線ヘッドセットに代表される携帯通信デバイスの場合、ヘッドセットが通話形態、即ちユーザの体に近づけられて配置される際に、アンテナが高効率を有することがさらに望ましい。
【００１０】
アンテナは、好ましくは携帯通信デバイスの制御スイッチ、電子部品、及びボタンの少なくともいずれかが、より良く配置できるように構成されるべきである。さらにアンテナは製造時のコスト効率がよく、組み立てが容易であることが理想的である。
【発明の概要】
【発明が解決しようとする課題】
【００１１】
本発明の目的は、性能の低下なしに、または最小限の性能の低下で、要求された通信性能を満たすとともに、小型で空間効率がよく、かつ軽量なアンテナ装置を提供することである。
【課題を解決するための手段】
【００１２】
発明の第１の側面によれば、目的は無線通信のアンテナ装置により達成される。アンテナ装置は、第１の平面に延びている中心部と、アンテナ部に備えられたアンテナ素子であって、アンテナ部及び当該アンテナ素子が第２の平面において中心部から延びているアンテナ素子と、を備える。アンテナ装置は、第３の平面において中心部から延びる第１のカウンターポイズ部と、第４の平面において中心部から延びる第２のカウンターポイズ部と、をさらに備える。アンテナ装置は有効な形態に構成される。有効な形態は、アンテナ装置が次のように折り曲げられた場合に得られる。
【００１３】
アンテナ素子の第２の平面が、中心部の第１の平面と略垂直をなし、第１のカウンターポイズ部の第３の平面が、アンテナ素子の第２の平面と略垂直をなし、第２のカウンターポイズ部の第４の平面が、中心部の第１の平面と略垂直をなし、アンテナ素子の第２の平面と略平行をなし、第１のカウンターポイズ部の第３の平面と略垂直をなす。有効な形態により、折り曲げられた第１及び第２のカウンターポイズ部が合わせて１つのカウンターポイズを呈し、かつアンテナ素子がカウンターポイズとともに共振し、アンテナ装置１００の全体構造をアンテナとして機能させることを示唆する。
【００１４】
１つの実施形態において、アンテナ装置は第５の平面において中心部から延びる第３のカウンターポイズ部をさらに備える。さらに第３のカウンターポイズ部の第５の平面が、第１のカウンターポイズ部の第３の平面と略平行をなすようにアンテナ装置が折り曲げられた場合に、有効な形態が得られる。有効な形態により、折り曲げられた第１、第２及び第３のカウンターポイズ部がともにカウンターポイズを呈し、かつアンテナ素子がカウンターポイズとともに共振し、アンテナ装置の全体構造をアンテナとして機能させることを示唆する。
【００１５】
アンテナ装置の１つの実施形態において、アンテナ素子は、Ｔアンテナ、モノポールアンテナ、またはダイポールアンテナである。
【００１６】
アンテナ装置の１つの実施形態において、アンテナ素子は、例えば銅のような導電性物質である。
【００１７】
１つの実施形態において、有効な形態は、容器、ハウジング、箱、コンテナ、ケースホルダ、レセプタクル、またはリザーバの形状を呈する。
【００１８】
１つの実施形態において、アンテナ装置は、プリント基板、フレキシブルプリント基板、または導電性物質である。
【００１９】
１つの実施形態において、アンテナ装置は、穴及び貫通孔の少なくともいずれかを有する。
【００２０】
１つの実施形態において、アンテナ装置は、アンテナ素子の１つ以上のアームの長さ及び幅を調整することにより、要求された共振周波数に調整される。
【００２１】
１つの実施形態において、共振周波数は、例えば２．５ＧＨｚ等の、１〜８０ＧＨｚの周波数である。
【００２２】
発明の第２の側面によれば、発明の第１の側面に係るアンテナ装置を備える無線通信デバイスにより目的は達成される。
【００２３】
いくつかの実施形態において、無線通信デバイスは、ヘッドセット、携帯電話、無線マウス、無線コンピュータ、または携帯情報端末（ＰＤＡ）である。
【００２４】
アンテナ領域周辺のみの無線周波数電流を対象とするように設計された逆Ｆアンテナ及び平面逆Ｆアンテナのような、従来の解決策に比べ、本発明は非常に好都合である。本発明の解決策に係るアンテナ装置は、代わりに、比較的小型の３次元構造接地面（カウンターポイズ）を、放射にも用いる。このことは、有効な形態(functional position)にあるアンテナ装置１００が非常に空間効率がよく、サイズが比較的小さいにもかかわらず人間の体に近接していても良好なアンテナ効率を有するという利点を提供する。
【００２５】
本発明は以下、添付の図面を参照して詳細に説明される。
【図面の簡単な説明】
【００２６】
【図１】アンテナ装置の実施形態を示したブロック図。
【図２】アンテナ素子の実施形態を示したブロック図。
【図３】アンテナ装置の実施形態を示したブロック図。
【図４】アンテナ装置の詳細な実施形態を示したブロック図。
【図５】無線通信デバイスの実施形態を示したブロック図。
【発明を実施するための形態】
【００２７】
発明は、以下に説明する実施形態において実現することができるようなアンテナ装置として定義される。しかしながら、本発明は多くの異なる形式において具体化され得るものであり、以下に説明する実施形態に限定されるものとして理解されるべきではない。さらに、これらの実施形態は、本記載が詳細で完全であり、本技術分野に属する当業者に対し発明の範囲を完全に伝えるために提供される。本発明に係る方法や装置を明細書に記載のいかなる特定の形式にも限定する意図はなく、むしろ、本発明に係る方法及び構成が、請求項によって定義される発明の範囲に含まれる全ての変形、相当物、及び代替物を含むことが意図されている。
【００２８】
なお、「〜を有する」または「〜を備える」という文言は「少なくとも〜を有する（consist at least of）」のように非限定的に解釈されるべきである。
【００２９】
図１は、有効な形態（functional position）に構成及び折り曲げられる前の、本解決策のいくつかの実施形態に係るアンテナ装置１００を示している。アンテナ装置１００は、無線デバイスにおいて使用されるために適合され得る。このような無線デバイスの例は、例えばコンピュータ、電話機、及びＰＤＡ（Personal Digital Assistant）の少なくともいずれかのための無線ヘッドセット、無線マウス、無線プリンタ、無線モニタ、及び、対応するコンピュータドックと通信する無線コンピュータである。
【００３０】
図１に示されるアンテナ装置１００は、第１の形態に構成されており、この形態ではアンテナ装置１００は主に２次元内で延びている。これは、アンテナ装置１００がある程度の奥行きを有することによるものである。いくつかの実施形態によれば、第１の形態におけるアンテナ装置１００は平坦であり、折り曲げられなくてもよい。アンテナ装置１００は、第１の形態において高効率なアンテナとして機能しないが、高機能なアンテナとなり得る。アンテナ装置１００は、例えばプリント基板（ＰＣＢ：Printed Circuit Board）、フレキシブルプリント基板、または比較的良い導電性を有するいかなる物質によっても構成され得る。
【００３１】
アンテナ装置１００は、第１の平面内に延びる中心部１２０を備える。
【００３２】
アンテナ装置１００はさらに、アンテナ素子１１５を備える。アンテナ素子１１５はアンテナ部１１０に含まれる。アンテナ部１１０及びアンテナ素子１１５は、中心部１２０から第２の平面内に延びる。アンテナ装置１００は、アンテナ素子１１５により受信された信号及び出力された信号の少なくともいずれかを変換するように適合されている。
【００３３】
アンテナ部１１０は、中心部１２０から第３の平面内に延びる第１のカウンターポイズ（counterpoise）部１３０、及び中心部１２０から第４の平面内に延びる第２のカウンターポイズ部１４０をさらに備える。
【００３４】
アンテナ装置１００は、中心部（１２０）から第５の平面内に延びる第３のカウンターポイズ部（１５０）をさらに備えてもよい。
【００３５】
図１に示された当該第１の形態は、有効な形態に構成される前の形態であって、アンテナ素子１１５、中心部１２０、第１のカウンターポイズ部１３０、第２のカウンターポイズ部１４０、及び（もし存在すれば）第３のカウンターポイズ部１５０は、全て同一平面内に延びる。第１のカウンターポイズ部１３０、第２のカウンターポイズ部１４０、及び（もし存在すれば）第３のカウンターポイズ部１５０は有効な形態に折り曲げられ、まとめてカウンターポイズを呈する。このことは以下にさらに説明する。
【００３６】
いくつかの実施形態において、アンテナ装置１００は、アンテナ装置が作動する形態に構成された際に、すなわち、有効な形態（図３。以下で説明する）において、対称的近接場挙動(symmetrical near field behavior)を得るために非常に有利な、図３に示すような略箱形状に形成される。
【００３７】
アンテナ装置１００は、例えば信号変換器、信号接点、及びカウンターポイズと呼ばれる小接地面（実際の接地面を有さない）のように機能することが可能な共通部品をさらに備えてもよい。
【００３８】
いくつかの実施形態によれば、アンテナ素子１１５及びアンテナ装置１００の両方の設計は注意深くなされるべきであり、かつ良導電性の被膜処理がなされた層を少なくとも１つ含むべきである。中心部１２０、第１のカンターポイズ部１３０、第２のカウンターポイズ部１４０、及び（もし存在すれば）第３のカウンターポイズ部１５０の平面については、被膜領域を少なくすることが可能である。しかし平均して、これらはアンテナのカウンターポイズに十分良好となるべきである。即ち被膜は、中心部１２０、第１のカウンターポイズ部１３０、第２のカウンターポイズ部１４０、及び（もし存在すれば）第３のカウンターポイズ部１５０の一部のみとなり得る。これは、第２の形態、即ち有効な形態に構成された場合に、アンテナ装置１００全体の構造が、アンテナ装置１００の高性能に寄与し、その結果、例えばＰＣＢのようなアンテナ装置１００の全体構造がアンテナとして機能するからである。
【００３９】
カウンターポイズは、デバイスが使用する関連波長のうち最長の波長に関して推測される、ほんの小さな／不良な接地面である。比較的良好な接地面は、１／２波長の二乗以上の領域を覆う。
【００４０】
アンテナ素子１１５がカウンターポイズと呼ばれる小さい接地面に実装される場合、カウンターポイズは放射を開始し、事実上アンテナの全体構造の一部となる。カウンターポイズが非常に小さい場合、アンテナ装置は効率的には動作し得ない。
【００４１】
アンテナ素子１１５は、例えば銅または複数の導電性物質の組み合わせ等、導電性物質により構成され得る。アンテナ素子１１５は、例えば１ＧＨｚから８０ＧＨｚのような波長に適合されてもよい。アンテナ素子１１５は、小型内蔵アンテナであってよく、故にアンテナ素子１１５は、アンテナ部１１０上に構成、またはアンテナ部１１０内に統合されてもよいアンテナ装置１００の一部である。
【００４２】
アンテナ装置１００が絶縁物質で構成される実施形態によれば、アンテナ素子１１５を、例えば中心部１２０及びアンテナ部１１０間の折り曲げ部に位置する励起点に接続するための導線が必要とされ得る。電力伝送を最大限にし、かつ信号源への信号反射を最小限に抑えるために、インピーダンスマッチングが一般に実行され得る。
【００４３】
いくつかの実施形態によれば、アンテナ素子１１５は、アンテナ装置１００の全体構造をアンテナとして機能させるためにカウンターポイズと共振してアンテナ素子１１５を拡大する、例えばＴアンテナ、モノポールアンテナ、または任意形状の導電性素子であってよい。アンテナ装置１００はマッチングネットワークの有無によらずアンテナとして機能する。共通のマッチングネットワークは、変圧器、抵抗、誘導子、及びコンデンサの組み合わせにより構成されてもよい。当該マッチングネットワークは図示しない。
【００４４】
図２は、アンテナ素子１１５がＴアンテナである場合の、例示的な態様を示している。アンテナ素子は、第２アーム２２０の中心部に、第１端２１１で接続される第１アーム２１０を備える。第１アーム２１０は、概してアンテナ素子１１５の縦方向の長さ(longitudinal length)にわたって延びている。第２アーム２２０は、概してアンテナ素子１１５の横方向の長さ(latitudinal length)にわたって延びている。第２アーム２２０は信号放射及び受信素子として機能し、第１アーム２１０も信号放射及び受信素子として機能する。図２に示されるように、いくつかの実施形態によれば、第２アーム２２０は１端または両端が曲がっていてもよい。第２アーム２２０の曲げは、アンテナ素子がアンテナ装置１００内に収まることが可能となるために行われ得る。このように、アンテナ素子１１５の形状は、アンテナ装置１００の形状に依存し得る。故に、本解決策に係るアンテナ素子１１５は非常に空間効率がよい。
【００４５】
アンテナ素子１１５の形状は、要求される共振周波数にアンテナ装置１００の全体構造を調整する場合に必要となり得る。要求される共振周波数は、例えばＢｌｕｅｔｏｏｔｈ通信の２．５ＧＨｚのような、１〜８０ＧＨｚの範囲となり得る。共振周波数の調整は、Ｔ型のアンテナ素子１１５を構成する、第１アーム２１０及び第２アーム２２０の少なくともいずれかの長さ及び幅を調整することにより実現され得る。このことは、アンテナ素子１１５を構成するアーム２１０、２２０の１つ以上の長さ及び幅を調整することにより、要求される共振周波数にアンテナ装置１００を調整可能であることを意味する。
【００４６】
第１アーム２１０は、励起ポートに接続された第２端２１２を備えてもよい。アンテナ素子１１５を構成する第１アームの第２端２１２は、ネジ、リベット、ポップリベット（pop rivet）を用いて、またはエッチングされた銅線に半田付けする等の方法により、アンテナ装置１００に取り付けられればよい。
【００４７】
アンテナ素子１１５は、以下では有効な形態３００と呼ぶ、図３に示されるような第２の形態に形成されている場合に使用されるように適合される。
【００４８】
有効形態とも呼ばれうる有効な形態３００は、例えば３次元のカウンターポイズの折り曲げ（folding）、屈曲（bending）、湾曲（bowing）、曲げ（curving）の一部または全ての構成を含む。本明細書において、「折り曲げ」という文言が用いられる場合、当該文言は、折り曲げ、屈曲、湾曲、または曲げのいずれかを指すものであると解釈されるべきである。
【００４９】
アンテナ装置１００が、例えばヘッドセットのような携帯通信デバイスに含まれる実施形態によれば、左通話位置（left talk position）及び右通話位置（right talk position）の少なくともいずれかのように、ユーザの体に近づけられた直立通話形態（upright talk position）により有効な形態３００が呈され得る。
【００５０】
アンテナ装置１００は、異なる方法で有効な形態３００に構成され得る。図３がその例である。
【００５１】
アンテナとして機能するために、アンテナ装置１００は、有効な形態に構成される。有効な形態は、アンテナ装置１００が折り曲げられた状態、即ち、折り曲げられた、屈曲された、湾曲された、または同等の状態になされた、以下のような状態である場合に得られる。
【００５２】
アンテナ素子１１５の第２の平面が、中心部１２０の第１の平面に対して略垂直である。
【００５３】
第１のカウンターポイズ部１３０の第３の平面が、中心部１２０の第１の平面に対して略垂直であり、かつアンテナ素子１１５の第２の平面に対して略垂直である。
【００５４】
第２のカウンターポイズ部１４０の第４の平面が、中心部１２０の第１の平面に対して略垂直であり、かつアンテナ素子１１５の第２の平面に略平行であり、かつ第１のカウンターポイズ部１３０の第３の平面に対して略垂直である。
【００５５】
アンテナ装置１００が第３のカウンターポイズ部１５０をさらに備える場合、第３のカウンターポイズ部１５０の第５の平面が、第１のカウンターポイズ部１３０の第３の平面と略平行であるように、アンテナ装置１００が折り曲げられる際に有効な形態が得られる。
【００５６】
有効な形態は、折り曲げられた第１、第２及び（もし存在すれば）第３のカウンターポイズ部１３０、１４０、１５０が共にカウンターポイズを呈し、そしてアンテナ素子１１５がカウンターポイズ１３０、１４０、１５０と共に共振することにより、アンテナ装置１００の全体構造がアンテナとして機能することを示唆している。
【００５７】
これら各部は、「略垂直に」及び「略平行に」折り曲げられているものと言及されている。つまり、これら各部、即ちアンテナ素子１１５、中心部１２０、第１のカウンターポイズ部１３０、第２のカウンターポイズ部１４０、及び（もし存在すれば）第３のカウンターポイズ部１５０を折り曲げる際に、厳密には垂直または平行を呈さないが、略垂直または略平行である場合であっても、アンテナ装置がアンテナとして十分に機能することを意味する。
【００５８】
即ち、有効な形態は、アンテナ部１１０を中心部１２０に向けて約９０度折り曲げ、かつ第２のカウンターポイズ部１４０を中心部１２０に向けて約９０度折り曲げることにより得られる。この結果として、アンテナ部１１０及び第２のカウンターポイズ部１４０が互いに平行、または平行に近い状態に構成される。さらに、第１のカウンターポイズ部１３０は中心部１２０に向けて約９０度折り曲げられ、かつ第３のカウンターポイズ部１５０は中心部１２０に向けて約９０度折り曲げられる。この結果として、第１のカウンターポイズ部１３０及び第３のカウンターポイズ部１５０が互いに平行、または平行に近い状態に構成される。アンテナが有効な形態３００に構成される場合、全てのカウンターポイズ部は、例えば容器（vessel）、ハウジング（housing）、箱、コンテナ、ケースホルダ（case holder）、レセプタクル（receptacle）、リザーバ（reservoir）等の３次元形状に構成される。
【００５９】
アンテナ装置１００の折り畳まれた第２の形態は、物理空間の使用において高効率、即ち小設計をもたらすことを可能とするため、非常に好都合となる。
【００６０】
いくつかの実施形態において、アンテナ装置１００の一部または全ての部分は、その上または近くに、図１及び図３に示されるような少なくとも１つの部品１７５を配置するために用いられてもよい。アンテナ装置１００は、例えばアンテナ装置１００が内包される携帯通信デバイスの制御スイッチ、電子部品、及びボタンの少なくともいずれかのような部品１７５の空間効率の良い配置を考慮して構成されることが好ましい。これによりアンテナ装置１００の良好な空間効率性が可能となる。またこのような事実は、アンテナ装置１００及びアンテナ装置１００が用いられる携帯通信デバイスの最小化に寄与するため、非常に好都合となる。
【００６１】
いくつかの実施形態によれば、部品１７５は主として導電性物質により構成され得るため、アンテナ装置１００の動作に寄与するための部品とすることが可能である。
【００６２】
いくつかの実施形態によれば、アンテナ１００の一部または全ての部分が、その上または近くに部品１７５を配置するために用いられるため、アンテナ装置１００は略１００％の空間効率となる。
【００６３】
第２の形態３００にある場合のアンテナ装置１００の性能は、非常に利点がある。第１の理由は、完全なアンテナ装置１００の中心周波数に関して、３３％の高い帯域幅をアンテナ装置１００が提供することである。また第２の理由は、アンテナ装置１００が例えば正立位置にあるような第２の形態３００に構成される場合、例えばダイポールまたは逆Ｆアンテナのような平面アンテナのアンテナ効率と比較して、アンテナ効率がより良好であることである。これらの利点は、特にアンテナがヘッドセットで通話位置と呼ばれる身体に非常に近い位置で動作する場合に、非常に強い利点となる。自由空間における両アンテナの効率は、同じように非常に良好となり得る。
【００６４】
故に、アンテナ装置１００の第２の形態３００、即ち３次元に組み立てられた構造は、従来技術に比べ、アンテナ効率の点で明白な効果を有する。
【００６５】
アンテナ装置１００の外形を様々な方法でアレンジするといった方法により、アンテナ装置１００の設計は柔軟性を有する。図４に１つの例を示す。図４は、アンテナ装置１００の外形４００が、直線部、角（corner）、及び丸曲げ（round bend）を備える場合における、第２のカウンターポイズ部１４０の例示的な実施形態の拡大図を示している。さらに、アンテナ装置１００の設計は、アンテナ装置１００が貫通孔４１０を備えてもよい点で柔軟性を有する。貫通孔４１０は、部品１７５を貫通させるために用いられても良い。このような部品１７５の例は、例えばプラスチックボタン、取付ピン（mounting pin）等の非導電性部品であってもよい。アンテナ装置１００に取り付けられる部品１７５をどこに及びどのように配置するかの設計が単純化され得るため、このことは非常に好都合となる。故に、アンテナ装置１００に取り付けられた部品１７５が物理的な空間を考慮した最適化された方法で配置され得るため、アンテナ装置１００のフレキシブルな設計は当該アンテナ装置１００のサイズ及び設計を最小化することを可能にし得る。このことは、アンテナ装置１００が備えられた無線デバイスをさらに最小化することを可能にする。
【００６６】
図５は、アンテナ装置１００を備える無線通信デバイス５００を示している。当該無線通信デバイス５００は、ヘッドセット、携帯電話、無線マウス、無線コンピュータ、ＰＤＡや同等物により表される。
【図１】
2011517246.tif 000003
【図２】
2011517246.tif 000004
【図３】
2011517246.tif 000005
【図４】
2011517246.tif 000006
【図５】
2011517246.tif 000007
【国際調査報告】
2011517246.tif 000008
2011517246.tif 000009